(57)【要約】【課題】アドレス放電開始電圧を低下させて、低電圧で高速アドレスを行うことが出来るプラズマディスプレイパネルを提供する。【解決手段】放電セルの周囲が隔壁１６によって仕切られることによりそれぞれ区画され、この放電セルが、第２横壁１６Ｂによって、対になっている行電極Ｘ１，Ｙ１の透明電極Ｘ１ａ，Ｙ１ａに対向して維持放電が行われる表示放電セルＣ１と、行電極Ｙ１のバス電極Ｙ１ｂに対向してこのバス電極Ｙ１ｂと列電極Ｄ１との間でのアドレス放電が行われるアドレス放電セルＣ２とに区画され、この表示放電セルＣ１とアドレス放電セルＣ２との間にアドレス放電セルＣ２を表示放電セルＣ１に連通させる隙間ｒが設けられ、アドレス放電セルＣ２に対向する部分に高γ材料層１３が設けられている。【選択図】      図５
2004288508.tif 000002
【特許請求の範囲】
【請求項１】
前面基板の背面側に、行方向に延び列方向に並設されてそれぞれ表示ラインを形成する複数の行電極対とこの行電極対を被覆する誘電体層とこの誘電体層を被覆する保護層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記各単位発光領域の周囲が隔壁によって仕切られることによりそれぞれ区画され、
この単位発光領域が、仕切壁によって、行電極対を構成する行電極の互いに対向する部分に対向してこの行電極間での放電が行われる第１放電領域と、列電極との間で放電を行う一方の行電極の一部に対向してこの行電極の一部と列電極との間で放電が行われる第２放電領域とに区画され、
この第１放電領域と第２放電領域との間に第２放電領域を第１放電領域に連通させる連通部が設けられ、
前記誘電体層の背面側の第２放電領域に対向する部分に前記保護層よりも２次電子放出係数が高い材料によって形成された２次電子放出層が設けられている、
ことを特徴とするプラズマディスプレイパネル。
【請求項２】
前記誘電体層の背面側の第２放電領域に対向する部分に、背面基板側に張り出すように形成されて単位発光領域を区画する隔壁に当接することにより隣接する単位発光領域と第２放電領域との間を閉じる嵩上げ部が形成され、この嵩上げ部に形成された凹所内に前記２次電子放出層が形成されている請求項１に記載のプラズマディスプレイパネル。
【請求項３】
前記嵩上げ部が黒色または暗色の光吸収層によって構成されている請求項２に記載のプラズマディスプレイパネル。
【請求項４】
前記２次電子放出層に黒色または暗色の顔料が混入されている請求項１に記載のプラズマディスプレイパネル。
【請求項５】
前記行電極対を構成する行電極が、それぞれ、行方向に延びる電極本体部と、この電極本体部から各単位発光領域ごとに列方向に突出して対になっている他方の行電極との間で第１放電領域に対向する部分において互いに放電ギャップを介して対向する透明電極部とを備えており、
前記列電極との間で放電を行う一方の行電極の透明電極部が、対になっている他方の行電極とは反対側に突出されて、この透明電極部の突出部分と列電極との間で第２放電領域内において放電が行われる請求項１に記載のプラズマディスプレイパネル。
【請求項６】
前記行電極対を構成する行電極が、それぞれ、行方向に延びる電極本体部と、この電極本体部から各単位発光領域ごとに列方向に突出して対になっている他方の行電極との間で第１放電領域に対向する部分において互いに放電ギャップを介して対向する透明電極部とを備えており、
前記列電極との間で放電を行う一方の行電極の電極本体部の一部が、対になっている他方の行電極とは反対側に突出されて、この電極本体部の突出部分と列電極との間で第２放電領域内において放電が行われる請求項１に記載のプラズマディスプレイパネル。
【請求項７】
前記連通部が、前記嵩上げ部の第１放電領域と第２放電領域の間を仕切る仕切壁に対向する部分に形成された隙間によって構成されている請求項２に記載のプラズマディスプレイパネル。
【請求項８】
前記連通部が、第１放電領域と第２放電領域とを仕切る仕切壁に形成された溝部によって構成されている請求項１に記載のプラズマディスプレイパネル。
【請求項９】
前記第１放電領域内にのみ放電によって発光する蛍光体層が形成されている請求項１に記載のプラズマディスプレイパネル。
【請求項１０】
前記第２放電領域内の背面基板側にＭｇＯ層が形成されている請求項１に記載のプラズマディスプレイパネル。
【発明の詳細な説明】
【０００１】
【発明の属する技術分野】
この発明は、面放電方式交流型プラズマディスプレイパネルのパネル構造に関する。
【０００２】
【発明が解決しようとする課題】
近年、大型で薄型のカラー画面表示装置として面放電方式交流型プラズマディスプレイパネルが注目を集めており、家庭などへの普及が図られてきている。
【０００３】
図１ないし３は、この面放電方式交流型プラズマディスプレイパネルの従来の構成を模式的に表す図面であって、図１はこの従来の面放電方式交流型プラズマディスプレイパネルの正面図、図２はこの図１のＶ−Ｖ線における断面図、図３は図１のＷ−Ｗ線における断面図である。
【０００４】
この図１ないし３において、プラズマディスプレイパネル（以下、ＰＤＰという）の表示面となる前面ガラス基板１側には、その裏面に、複数の行電極対（Ｘ，Ｙ）と、この行電極対（Ｘ，Ｙ）を被覆する誘電体層２と、この誘電体層２の裏面を被覆するＭｇＯからなる保護層３が順に設けられている。
【０００５】
各行電極Ｘ，Ｙは、それぞれ、幅の広いＩＴＯ等の透明導電膜からなる透明電極Ｘａ，Ｙａと、その導電性を補う幅の狭い金属膜からなるバス電極Ｘｂ，Ｙｂとから構成されている。
【０００６】
そして、行電極ＸとＹとが放電ギャップｇを挟んで対向するように列方向に交互に配置されており、各行電極対（Ｘ，Ｙ）によって、マトリクス表示の１表示ライン（行）Ｌが構成されている。
【０００７】
一方、放電ガスが封入された放電空間Ｓを介して前面ガラス基板１に対向する背面ガラス基板４には、行電極対Ｘ，Ｙと直交する方向に延びるように配列された複数の列電極Ｄと、この列電極Ｄ間にそれぞれ平行に延びるように形成された帯状の隔壁５と、この隔壁５の側面と列電極Ｄを被覆するそれぞれ赤（Ｒ），緑（Ｇ），青（Ｂ）の蛍光材料によって形成された蛍光体層６とが設けられている。
【０００８】
そして、各表示ラインＬにおいて、放電空間Ｓが、列電極Ｄと行電極対（Ｘ，Ｙ）が交差する部分ごとに隔壁５によって区画されることによって、それぞれ単位発光領域である放電セルＣが形成されている（例えば、特許文献１参照）。
【０００９】
上記の面放電方式交流型ＰＤＰにおける画像の形成は、以下のようにして行われる。
【００１０】
すなわち、リセット放電を行うリセット期間の後のアドレス期間に、各放電セルＣにおいて行電極対（Ｘ，Ｙ）の一方の行電極（この例では行電極Ｙ）と列電極Ｄとの間で選択的に放電（アドレス放電）が行われ、このアドレス放電によって、発光セル（誘電体層２に壁電荷が形成されている放電セル）と非発光セル（誘電体層２に壁電荷が形成されていない放電セル）とが、表示する画像に対応してパネル面に分布される。
【００１１】
そして、このアドレス期間の後、全表示ラインＬにおいて、一斉に、各行電極対の行電極ＸとＹに対して交互に放電維持パルスが印加され、この放電維持パルスが印加される毎に、発光セルにおいて、誘電体層２に形成された壁電荷により、行電極ＸとＹ間で維持放電（サステイン放電）が発生される。
【００１２】
これにより、発光セルにおける維持放電によって紫外線が発生され、各放電セルＣ内の赤（Ｒ），緑（Ｇ），青（Ｂ）の蛍光体層６がそれぞれ励起されて発光することにより、表示画像が形成される。
【００１３】
【特許文献１】
特開平９−１６７５６５号公報
【００１４】
【発明が解決しようとする課題】
以上のような構成を有する従来の三電極面放電方式交流型ＰＤＰにおいては、アドレス放電と維持放電が同一の放電セルＣ内において行われるので、このアドレス放電が、放電セルＣ内に維持放電によって発色を行うために形成された赤（Ｒ），緑（Ｇ），青（Ｂ）のそれぞれの蛍光体層６を挟んで行われることになる。
【００１５】
このため、この放電セルＣ内において発生されるアドレス放電が、蛍光体層６を形成する蛍光材料の各色ごとに異なる放電特性や、製造工程において蛍光体層６を形成する際に生じる層の厚さのばらつきなどの蛍光体層６に起因した影響を受けることになるので、従来のＰＤＰにおいては、各放電セルＣにおいて互いに等しいアドレス放電特性を得るようにすることが非常に難しいという問題が有る。
【００１６】
また、上記のような三電極面放電方式交流型ＰＤＰにおいて、蛍光体層６の表面面積を大きくして発光効率を上げるためには、各放電セルＣ内の放電空間を大きくする必要があり、そのために、従来は、隔壁５の高さを高くするという方法が採られている。
【００１７】
しかしながら、この発光効率を上げるために隔壁５の高さを高くすると、アドレス放電を行う行電極Ｙと列電極Ｄとの間の間隔が大きくなって、アドレス放電の開始電圧が上昇してしまうという問題が発生することになる。
【００１８】
この発明は、上記のような従来の面放電方式交流型プラズマディスプレイパネルにおける問題点を解決することをその課題の一つとしている。
【００１９】
【課題を解決するための手段】
上記目的を達成するために、第１の発明（請求項１に記載の発明）によるプラズマディスプレイパネルは、前面基板の背面側に、行方向に延び列方向に並設されてそれぞれ表示ラインを形成する複数の行電極対とこの行電極対を被覆する誘電体層とこの誘電体層を被覆する保護層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記各単位発光領域の周囲が隔壁によって仕切られることによりそれぞれ区画され、この単位発光領域が、仕切壁によって、行電極対を構成する行電極の互いに対向する部分に対向してこの行電極間での放電が行われる第１放電領域と、列電極との間で放電を行う一方の行電極の一部に対向してこの行電極の一部と列電極との間で放電が行われる第２放電領域とに区画され、この第１放電領域と第２放電領域との間に第２放電領域を第１放電領域に連通させる連通部が設けられ、前記誘電体層の背面側の第２放電領域に対向する部分に前記保護層よりも２次電子放出係数が高い材料によって形成された２次電子放出層が設けられていることを特徴としている。
【００２０】
【発明の実施の形態】
以下、この発明の最も好適と思われる実施の形態について、図面を参照しながら詳細に説明を行う。
【００２１】
図４ないし７は、この発明によるプラズマディスプレイパネル（以下、ＰＤＰという）の実施形態における一例を模式的に表す図面であって、図４はこの例におけるＰＤＰのセル構造の一部を示す正面図、図５は図４のＶ１−Ｖ１線における縦断面図、図６は図４のＶ２−Ｖ２線における縦断面図、図４は図１のＷ１−Ｗ１線における横断面図である。
【００２２】
この図４ないし７に示されるＰＤＰは、表示面である前面ガラス基板１０の背面に、複数の行電極対（Ｘ１，Ｙ１）が、前面ガラス基板１０の行方向（図４の左右方向）に延びるように平行に配列されている。
【００２３】
行電極Ｘ１は、Ｔ字形状に形成されたＩＴＯ等の透明導電膜からなる透明電極Ｘ１ａと、前面ガラス基板１０の行方向に延びて透明電極Ｘ１ａの幅が小さい基端部に接続された金属膜からなる黒色のバス電極Ｘ１ｂによって構成されている。
【００２４】
行電極Ｙ１も同様に、Ｔ字形状に形成されたＩＴＯ等の透明導電膜からなる透明電極Ｙ１ａと、前面ガラス基板１０の行方向に延びて透明電極Ｙ１ａの幅が小さい基端部に接続された金属膜からなる黒色のバス電極Ｙ１ｂと、透明電極Ｙ１ａと一体的に形成されてバス電極Ｙ１ｂに対してこの透明電極Ｙ１ａの基端部から反対側に突出するアドレス放電透明電極Ｙ１ｃとによって構成されている。
【００２５】
この行電極Ｘ１とＹ１は、前面ガラス基板１０の列方向（図４の上下方向、および、図５の左右方向）に交互に配置されており、バス電極Ｘ１ｂとＹ１ｂに沿って等間隔に並列されたそれぞれの透明電極Ｘ１ａとＹ１ａが、互いに対となる相手の行電極側に延びて、この透明電極Ｘ１ａとＹ１ａの幅が広い先端部が、それぞれ所要の幅の放電ギャップｇ１を介して互いに対向されている。
【００２６】
そして、行電極Ｙ１のアドレス放電透明電極Ｙ１ｃが、列方向において隣接する他の行電極対（Ｘ１，Ｙ１）の間隔を開けて互いに背中合わせに位置されている行電極Ｘ１のバス電極Ｘ１ｂと行電極Ｙ１のバス電極Ｙ１ｂとの間に、それぞれ位置されている。
この各行電極対（Ｘ１，Ｙ１）ごとに、それぞれ、行方向に延びる表示ラインＬ１が構成されている。
【００２７】
前面ガラス基板１０の背面には、行電極対（Ｘ１，Ｙ１）を被覆するように誘電体層１１が形成されており、この誘電体層１１の背面側には、行方向において互いに隣接している行電極対（Ｘ１，Ｙ１）の互いに背中合わせに位置するバス電極Ｘ１ｂとＹ１ｂ、および、この背中合わせのバス電極Ｘ１ｂとＹ１ｂの間の領域部分（アドレス放電透明電極Ｙ１ｃが位置している部分）に対向する位置に、誘電体層１１から背面側（図５において下方側）に向かって突出する嵩上げ誘電体層１２が、バス電極Ｘ１ｂ，Ｙ１ｂに対して平行方向に延びるように形成されている。
【００２８】
図８は、前面ガラス基板１０の背面側から見た嵩上げ誘電体層１２の形状を示す斜視図である。
なお、図５における嵩上げ誘電体層１２の断面は、図８のｖ−ｖ線において嵩上げ誘電体層１２を断面した状態を示している。
【００２９】
この嵩上げ誘電体層１２は、第１横帯部１２Ａおよび縦帯部１２Ｂ，第２横帯部１２Ｃによって、略梯子形状に一体的に形成されている。
【００３０】
この嵩上げ誘電体層１２の第１横帯部１２Ａは、行電極Ｘ１のバス電極Ｘ１ｂに対向する部分においてこのバス電極Ｘ１ｂと平行な方向（行方向）に延びるように形成されている。
【００３１】
嵩上げ誘電体層１２の縦帯部１２Ｂは、第１横帯部１２Ａのバス電極Ｘ１ｂと互いに背中合わせに位置されるバス電極Ｙ１ｂの側において、行方向に互いに隣接しているアドレス放電透明電極Ｙ１ｃの間の中間部分に対向する位置にそれぞれ等間隔に配置されて、第１横帯部１２Ａから直交する方向（列方向）に延びるように形成されている。
【００３２】
この縦帯部１２Ｂ間の間隔は、後述する放電セルの行方向の幅と同一になるように設定されている。
【００３３】
そして、嵩上げ誘電体層１２の第２横帯部１２Ｃは、縦帯部１２Ｂの第１横帯部１２Ａと反対側の端部の行電極Ｙ１のバス電極Ｙ１ｂに対向する部分に、それぞれ縦帯部１２ＢとＴ字形を形成するように連結されるとともに、バス電極Ｙ１ｂと平行な方向に互いに所要の隙間ｒを開けて配列されるように形成されている。
【００３４】
この嵩上げ誘電体層１２は、黒色または暗色の顔料を含んだ光吸収層によって構成されている。
【００３５】
誘電体層１１と嵩上げ誘電体層１２の背面側表面は、ＭｇＯからなる図示しない保護層によって被覆されている。
【００３６】
嵩上げ誘電体層１２の第１横帯部１２Ａと縦帯部１２Ｂ，第２横帯部１２Ｃに囲まれた方形の空間内には、それぞれ、ＭｇＯよりも２次電子放出係数が高く仕事関数が低い材料によって、高γ材料層１３が形成されている。
【００３７】
この高γ材料層１３を形成する材料としては、アルカリ金属の酸化物（例えば、Ｃｓ２Ｏ：仕事関数２．３ｅＶ）やアルカリ土類金属の酸化物（例えば、ＣａＯ，ＳｒＯ，ＢａＯ），弗化物（例えば、ＣａＦ２，ＭｇＦ２），結晶欠陥や不純物などによって結晶内に不純物順位を導入して２次電子放出係数を高めた材料（例えば、ＭｇＯｘのようにＭｇ：Ｏの組成比を１：１から変えて結晶欠陥を導入したもの），ＴｉＯ２，Ｙ２Ｏ３などが挙げられる。
【００３８】
前面ガラス基板１０と放電空間を介して平行に配置された背面ガラス基板１４の前面ガラス基板１０と対向する側の面上には、複数の列電極Ｄ１が、各行電極対（Ｘ１，Ｙ１）の互いに対となった透明電極Ｘ１ａおよびＹ１ａにそれぞれ対向する位置においてバス電極Ｘ１ｂ，Ｙ１ｂと直交する方向（列方向）に延びるように、互いに所定の間隔を開けて平行に配列されている。
【００３９】
この背面ガラス基板１４の前面ガラス基板１０に対向する側の面上には、さらに、列電極Ｄ１を被覆する白色の列電極保護層（誘電体層）１５が形成され、この列電極保護層１５上に、下記に詳述するような形状の隔壁１６が形成されている。
【００４０】
すなわち、この隔壁１６は、前面ガラス基板１０側から見て、各行電極Ｘ１のバス電極Ｘ１ｂと対向する位置においてそれぞれ行方向に延びる第１横壁１６Ａと、行電極Ｘ１，Ｙ１のバス電極Ｘ１ｂ，Ｙ１ｂに沿って等間隔に配置された各透明電極Ｘ１ａ，Ｙ１ａの間の位置においてそれぞれ列方向に延びる縦壁１６Ｂと、各行電極Ｙ１のバス電極Ｙ１ｂと対向する位置においてそれぞれ第１横壁１６Ａと所要の間隔を空けて平行に延びる第２横壁１６Ｃとによって構成されている。
【００４１】
そして、これら第１横壁１６Ａおよび縦壁１６Ｂ，第２横壁１６Ｃの高さは、嵩上げ誘電体層１２の背面側を被覆している保護層と列電極Ｄ１を被覆している列電極保護層１５との間の間隔に等しくなるように設定されている。
【００４２】
これによって、隔壁１６の第１横壁１６Ａの表側の面（図５において上側の面）が嵩上げ誘電体層１２の第１横帯部１２Ａを被覆している保護層に当接され、縦壁１６Ｂが縦帯部１２Ｂを被覆している保護層に当接され、第２横壁１６Ｃが第２横帯部１２Ｃを被覆している保護層に当接されている。
【００４３】
この隔壁１６の第１横壁１６Ａと縦壁１６Ｂ，第２横壁１６Ｃによって、前面ガラス基板１０と背面ガラス基板１４の間の放電空間が、それぞれ、互いに対向されて対になっている透明電極Ｘ１ａとＹ１ａに対向する領域ごとに区画されて表示放電セルＣ１が形成され、さらに、第１横壁１６Ａと第２横壁１６Ｃに挟まれて互いに隣接する行電極対（Ｘ１，Ｙ１）の背中合わせに位置するバス電極Ｘ１ｂとＹ１ｂの間の領域に対向する部分の空間が、縦壁１６Ｂによって区画されることによって、それぞれ表示放電セルＣ１と列方向において互い違いに配置されるアドレス放電セルＣ２が形成されている。
【００４４】
このアドレス放電セルＣ２は、行電極Ｙ１のアドレス放電透明電極Ｙ１ｃに対向されている。
そして、列方向において第２横壁１６Ｃを挟んで隣接する表示放電セルＣ１とアドレス放電セルＣ２とは、それぞれ、嵩上げ誘電体層１２の各第２横帯部１２Ｃ間に形成されている隙間ｒを介して互いに連通されている。
【００４５】
各表示放電セルＣ１内の放電空間に面する隔壁１６の第１横壁１６Ａおよび縦壁１６Ｂ，第２横壁１６Ｃの各側面と列電極保護層１５の表面には、これらの五つの面をほぼ全て覆うように蛍光体層１７が形成されており、この蛍光体層１７の色は、各表示放電セルＣ１毎に赤（Ｒ），緑（Ｇ），青（Ｂ）の色が行方向に順に並ぶように配置されている。
【００４６】
各アドレス放電セルＣ２内の放電空間に面する隔壁１６の第１横壁１６Ａおよび縦壁１６Ｂ，第２横壁１６Ｃの各側面と列電極保護層１５の表面には、これらの五つの面をほぼ全て覆うように、ＭｇＯ層１８が形成されている。
【００４７】
表示放電セルＣ１およびアドレス放電セルＣ２内には、キセノンを含む放電ガスが封入されている。
【００４８】
上記ＰＤＰにおける画像の形成は、以下のようにして行われる。
すなわち、先ず、リセット期間に、全表示放電セルＣ１において、行電極Ｙ１の透明電極Ｙ１ａと列電極Ｄ１との間でリセット放電が発生され、このリセット放電によって、誘電体層１１の表面上に壁電荷が形成（または、誘電体層１１の表面上の壁電荷が消去）される。
【００４９】
このとき、アドレス放電セルＣ２内においても、行電極Ｙ１のアドレス放電透明電極Ｙ１ｃと列電極Ｄ１間で放電が発生し、この放電によって、放電ガスに含まれるキセノンから波長１４７ｎｍの真空紫外線が放射されて、アドレス放電セルＣ２内に面するように形成されている高γ材料層１３が励起されることにより、この高γ材料層１３からアドレス放電セルＣ２内に２次電子（プライミング粒子）が放出される。
【００５０】
また、このキセノンから放射される真空紫外線によってＭｇＯ層１８からも２次電子（プライミング粒子）が放出されるが、高γ材料層１３がＭｇＯ層１８を形成するＭｇＯよりも２次電子放出係数が高く仕事関数が低い材料によって形成されていることにより、この高γ材料層１３からの方が多量の２次電子（プライミング粒子）が放出されることになる。
【００５１】
このリセット期間の次のアドレス期間において、それぞれ選択的に、走査パルスが行電極Ｙ１に印加され、データパルスが列電極Ｄ１に印加されて、アドレス放電セルＣ２内において、走査パルスが印加された行電極Ｙ１のアドレス放電透明電極Ｙ１ｃとデータパルスが印加された列電極Ｄ１との間でアドレス放電が発生される。
【００５２】
このとき、先のリセット期間に高γ材料層１３からアドレス放電セルＣ２内に多量に放出されている２次電子（プライミング粒子）によって、アドレス放電が低電圧で発生されるとともに、高速アドレスが実現される。
【００５３】
このアドレス放電セルＣ２内におけるアドレス放電によって発生した荷電粒子は、嵩上げ誘電体層１２の第２横帯部１２Ｃ間に形成されている隙間ｒを通って、この第２横壁１６Ｃを挟んで隣接している表示放電セルＣ１内に導入される。
【００５４】
これによって、この表示放電セルＣ１に対向している部分の誘電体層１１に形成された壁電荷が消去（または、誘電体層１１に壁電荷が形成）されてゆくことにより、全表示ラインＬ１に発光セル（誘電体層１１に壁電荷が形成されている表示放電セルＣ１）と非発光セル（誘電体層１１に壁電荷が形成されていない表示放電セルＣ１）とが、表示する画像に対応してパネル面に分布される。
【００５５】
このアドレス期間の後、維持発光期間において、全表示ラインＬ１に一斉に、行電極対（Ｘ１，Ｙ１）の行電極Ｘ１とＹ１に対して交互に放電維持パルスが印加されて、各発光セル内において放電維持パルスが印加される毎に、互いに対向する透明電極Ｘ１ａとＹ１ａとの間で維持放電が発生される。
【００５６】
そして、この維持放電により発生した紫外線によって、表示放電セルＣ１に形成されている赤（Ｒ），緑（Ｇ），青（Ｂ）の各蛍光体層１７がそれぞれ励起されて発光することにより、表示する画像が形成される。
【００５７】
上記のＰＤＰにおいては、表示する画像に対応してパネル面に発光セルと非発光セルとを分布させるアドレス放電と、蛍光体層１７を発光させるための維持放電とが、それぞれ別個の放電セル内において行われるようになっているので、アドレス放電を従来の様に蛍光体層を挟んで行う必要がなくなり、このため、蛍光材料の色ごとに異なる放電特性や、製造工程において生じる蛍光体層の厚さのばらつきなどの蛍光体層に起因した影響を受けることがなくなり、安定したアドレス放電特性を得ることが出来る。
【００５８】
そして、上記のＰＤＰにおいては，リセット期間において、保護層を形成するＭｇＯ（仕事関数：４．２ｅＶ）よりも２次電子放出係数が高く仕事関数が低い（例えば、仕事関数：４．２ｅＶ）材料によって形成された高γ材料層１３から２次電子が多量に放出されているので、アドレス放電の発生に必要なプライミング粒子が十分に確保されることによって、アドレス放電開始電圧が低下して、低電圧でかつ高速のアドレス放電を行うことが出来るようになる。
【００５９】
さらに、高γ材料層１３は、画像形成のための発光を行わないアドレス放電セルＣ２に対向する部分に形成されるので、その光透過率が問題になることはなく、これによって、高γ材料層１３を形成する材料の選択幅が広がる。
【００６０】
例えば、表示放電セルＣ１に対向する部分に形成される保護層のように透過率が高いＭｇＯを真空蒸着法などで形成する必要は無く、透過率が低くても２次電子放出係数が高く仕事関数が低い材料を選択することが可能になり、また、この高γ材料層１３に黒色や暗色の顔料を混入することによって、アドレス放電セルＣ２内において放電によって発生した光が前面ガラス基板１０の表示面側に漏れたり、また、前面ガラス基板１０のアドレス放電セルＣ２に対向する部分（非表示領域）に入射する外光の反射を防止することが出来るようになる。
【００６１】
上記例のＰＤＰにおいては、アドレス放電セルＣ２内のアドレス放電によって生成された荷電粒子は、高γ材料層１３に形成されている隙間ｒ（図７および８参照）を介して、そのアドレス放電が行われたアドレス放電セルＣ２と対になっている表示放電セルＣ１内に導入されるが、この対になっている表示放電セルＣ１と列方向において反対側に隣接している他の表示放電セルＣ１、および、行方向において両側に隣接している他のアドレス放電セルＣ２との間は、嵩上げ誘電体層１２の第１横帯部１２Ａおよび縦帯部１２Ｂがそれぞれ隔壁１６の第１横壁１６Ａおよび縦壁１６Ｂに当接されてその間が閉じられていることによって、荷電粒子がこれら隣接する他の表示放電セルＣ１およびアドレス放電セルＣ２内に流れるのが防止される。
【００６２】
さらに、表示放電セルＣ１内の維持放電によって生成された荷電粒子も、嵩上げ誘電体層１２によって、隣接する他のアドレス放電セルＣ２に流れるのが防止される。
【００６３】
なお、上記例のＰＤＰにおいては、このアドレス放電セルＣ２から表示放電セルＣ１への荷電粒子の導入を、嵩上げ誘電体層１２に形成された隙間ｒ（図７および８参照）を介して行うようになっているが、図９に示されるように、溝部ｒ１を第２横壁１６Ｃ１に形成して、この溝部ｒ１を介して荷電粒子の導入が行われるようにしてもよい。このとき、嵩上げ誘電体層２２は、完全な梯子形状に形成される。
【００６４】
また、上記例のＰＤＰにおいては、アドレス放電セルＣ２内におけるリセット期間における放電やアドレス放電が、行電極Ｙ１の透明電極Ｙ１ａからアドレス放電セルＣ２に対向する部分に延長して形成されたアドレス放電透明電極Ｙ１ｃによって発生させるようになっているが、これに限らず、例えば、図１０に示される様に、バス電極Ｙ１ｂ１に、その側縁部から隣接する他の行電極対（Ｘ１，Ｙ１）のバス電極Ｘ１ｂの方向に突出してアドレス放電セルＣ２に対向される突出部Ｙ１ｂ２を形成して、この突出部Ｙ１ｂ２によってリセット期間における放電やアドレス放電を発生させるようにしても良い。
【００６５】
上記例のＰＤＰにおいて、嵩上げ誘電体層１２は、必ずしも黒色または暗色の顔料を含んだ光吸収層によって構成されている必要はないが、黒色または暗色の顔料を含んだ光吸収層によって構成されることによって、アドレス放電セルＣ２内において発生されるアドレス放電の発光が前面ガラス基板１０の表示面側に漏れるのが防止されるとともに、前面ガラス基板１０からアドレス放電セルＣ２が形成されている部分（非表示領域）に入射する外光が反射されるのが防止されて、表示画像のコントラストを一層向上させることが出来るようになる。
【００６６】
上記の例におけるプラズマディスプレイパネルは、前面基板の背面側に、行方向に延び列方向に並設されてそれぞれ表示ラインを形成する複数の行電極対とこの行電極対を被覆する誘電体層とこの誘電体層を被覆する保護層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記各単位発光領域の周囲が隔壁によって仕切られることによりそれぞれ区画され、この単位発光領域が、仕切壁によって、行電極対を構成する行電極の互いに対向する部分に対向してこの行電極間での放電が行われる第１放電領域と、列電極との間で放電を行う一方の行電極の一部に対向してこの行電極の一部と列電極との間で放電が行われる第２放電領域とに区画され、この第１放電領域と第２放電領域との間に第２放電領域を第１放電領域に連通させる連通部が設けられ、前記誘電体層の背面側の第２放電領域に対向する部分に前記保護層よりも２次電子放出係数が高い材料によって形成された２次電子放出層が設けられている実施形態のプラズマディスプレイパネルを、その上位概念の実施形態としているものである。
【００６７】
この実施形態の上位概念を構成するプラズマディスプレイパネルは、画像形成の際に、先ず、第１放電領域内においてリセット放電が行われる。
【００６８】
このとき、第２放電領域内において行電極対を構成する一方の行電極の一部と列電極との間で放電が発生される。そして、この放電により放電ガスから発生される紫外線によって励起されることによって、誘電体層の背面側の第２放電領域に対向する部分に形成された２次電子放出層から、第２放電領域内に２次電子が多量に放出される。
【００６９】
次に、列電極と行電極対を構成する行電極の一方との間で行われるアドレス放電が、第２放電領域内において発生され、この第２放電領域内における放電によって発生した荷電粒子が、第２放電領域と第１放電領域との間に設けられた連通部を介して第１放電領域内に導入されることによって、壁電荷が形成されている第１放電領域（発光セル）と壁電荷が形成されていない第１放電領域（非発光セル）とが、形成する画像に対応してパネル面に分布される。
【００７０】
このアドレス放電が発生される際に、その直前に行われた第２放電領域内における放電により、２次電子放出層から第２放電領域内に放出されている２次電子によって、アドレス放電の放電開始電圧が低下して、アドレス放電が低電圧でかつ高速で行われる。
【００７１】
以上のように、上記の実施形態によるプラズマディスプレイパネルによれば、壁電荷が形成された単位発光領域と壁電荷が形成されていない単位発光領域とをパネル面に分布させるためのアドレス放電が、画像形成のための発光が行われる第１放電領域とは別個に形成された第２放電領域内において行われるので、安定したアドレス放電の放電特性を得ることが出来る。
【００７２】
そして、２次電子放出層が第２放電領域に面するように設けられ、この２次電子放出層が誘電体層を被覆している保護層よりも２次電子放出係数が高い材料によって形成されていることによって、第２放電領域内においてアドレス放電に先だって行われる放電によって、２次電子放出層から第２放電領域内に多量の２次電子が放出されるので、これによって、アドレス放電の発生に必要な２次電子（プライミング粒子）が十分に確保されていることにより、アドレス放電開始電圧が低下して低電圧でかつ高速のアドレス放電を行うことが可能になる。
【００７３】
また、この２次電子放出層は、画像形成のための発光を行わない第２放電領域に対向する部分に形成されるので、その光透過率が問題になることはなく、これによって、２次電子放出層を形成する材料の選択が、材料の光透過率によって制約されることがない。
【図面の簡単な説明】
【図１】従来のＰＤＰの構成を模式的に表す正面図である。
【図２】図１のＶ−Ｖ線における断面図である。
【図３】図１のＷ−Ｗ線における断面図である。
【図４】この発明の実施形態の一例を模式的に表す正面図である。
【図５】図４のＶ１−Ｖ１線における断面図である。
【図６】図４のＶ２−Ｖ２線における断面図である。
【図７】図４のＷ１−Ｗ１線における断面図である。
【図８】同例の嵩上げ誘電体層の構成を示す斜視図である。
【図９】この発明の連通路の変形例を示す断面図である。
【図１０】この発明の行電極の形状の変形例を示す正面図である。
【符号の説明】
１０                …前面ガラス基板（前面基板）
１１                …誘電体層
１２，２２          …嵩上げ誘電体層（嵩上げ部）
１２Ａ              …第１横帯部
１２Ｂ              …縦帯部
１２Ｃ              …第２横帯部
１３                …高γ材料層（２次電子放出層）
１４                …背面ガラス基板（背面基板）
１５                …列電極保護層
１６                …隔壁
１６Ａ              …第１横壁（隔壁）
１６Ｂ              …縦壁（隔壁）
１６Ｃ，１６Ｃ１    …第２横壁（仕切壁）
１７                …蛍光体層
Ｘ１                …行電極
Ｘ１ａ              …透明電極
Ｘ１ｂ              …バス電極（電極本体部）
Ｙ１                …行電極
Ｙ１ａ              …透明電極
Ｙ１ｂ，Ｙ１ｂ１    …バス電極（電極本体部）
Ｙ１ｂ２            …突出部（突出部分）
Ｙ１ｃ              …アドレス放電透明電極（突出部分）
Ｄ１                …列電極
Ｃ１                …表示放電セル（第１放電領域）
Ｃ２                …アドレス放電セル（第２放電領域）
Ｌ１                …表示ライン
ｒ                  …隙間（連通部）
ｒ１                …溝部（連通部）
【図１】
2004288508.tif 000003
【図２】
2004288508.tif 000004
【図３】
2004288508.tif 000005
【図４】
2004288508.tif 000006
【図５】
2004288508.tif 000007
【図６】
2004288508.tif 000008
【図７】
2004288508.tif 000009
【図８】
2004288508.tif 000010
【図９】
2004288508.tif 000011
【図１０】
2004288508.tif 000012